(57)【要約】 【課題】  簡素な工程でＸ線造影糸の抜けを防止することの可能なガーゼ及びその製造方法を提供すること。【解決手段】  互いに直交して織り上げられる経糸１１及び緯糸１２よりなり、経糸の一部がＸ線造影糸３で構成され、経糸方向の経糸端部が緯糸１２より突出しているガーゼである。Ｘ線造影糸の端部３ａを経糸方向端部の緯糸近傍に位置させたことに特徴がある。望ましくは、経糸方向端部の緯糸が密に織り込まれて密織部Ａ２を形成し、Ｘ線造影糸の端部３ａを密織部Ａ２に位置させるとよい。裁断した部分にＸ線造影糸３がガーゼの密織りした端からはみ出ていないことから、鑷子等でガーゼをつまんでも、Ｘ線造影糸をつまむ恐れがほとんどなく、Ｘ線造影糸が抜け落ち難い。【選択図】    図２
2007175236.tif 000002
【特許請求の範囲】
【請求項１】
互いに直交して織り上げられる経糸及び緯糸よりなり、経糸の一部がＸ線造影糸で構成され、経糸方向の経糸端部が緯糸より突出しているガーゼであって、前記Ｘ線造影糸の端部を経糸方向端部の緯糸近傍に位置させてあることを特徴とするガーゼ。
【請求項２】
前記経糸方向端部の緯糸が密に織り込まれて密織部を形成し、前記Ｘ線造影糸の端部を前記密織部に位置させたことを特徴とする請求項１記載のガーゼ。
【請求項３】
請求項１又は２記載のガーゼの製造方法であって、前記Ｘ線造影糸を切断することにより前記Ｘ線造影糸の端部を経糸方向端部の緯糸近傍に位置させてあることを特徴とするガーゼの製造方法。
【請求項４】
前記Ｘ線造影糸を引っ張って切断することを特徴とする請求項３記載のガーゼの製造方法。
【請求項５】
ガーゼ本体と前記Ｘ線造影糸とをクランプして前記切断を行うことを特徴とする請求項３又は４に記載のガーゼの製造方法。
【請求項６】
前記Ｘ線造影糸にテンションを付与して延伸させた状態でガーゼを織り、前記経糸を切断することにより前記Ｘ線造影糸が縮小して前記Ｘ線造影糸の端部を経糸方向端部の緯糸近傍に位置させることを特徴とする請求項３〜５のいずれかに記載のガーゼの製造方法。
【発明の詳細な説明】
【技術分野】
【０００１】
本発明は、互いに直交して織り上げられる経糸及び緯糸よりなり、経糸の一部がＸ線造影糸で構成され、経糸方向の経糸端部が緯糸より突出しているガーゼ及びその製造方法に関する。
【背景技術】
【０００２】
一般に外科手術の際には、手術終了時に手術部位をＸ線で透過撮影することで患者の体内残存するガーゼを検出できるように、Ｘ線不透過成分を組み込んだガーゼが使用される。そして、この種のガーゼの製造では、経糸１１を張り、緯糸１２をシャトルで入れて織り上げる際、織機に仕掛ける経糸１１のうち１本をＸ線不透過成分を含んだ糸にして織り上げ、数ｃｍ緯糸１２を抜いた糸抜き部で裁断する。ガーゼを裁断する場合、経糸１１が数ｃｍ残った状態となっており、裁断した端部は経糸１１とＸ線造影糸が数ｃｍ出た状態となっている。手術時、この裁断部に位置するＸ線造影糸の端部を鑷子等で摘まれると当該造影糸が抜けてしまうことがある。そして、Ｘ線造影糸が抜けたガーゼが患者の体内に残った場合、Ｘ線写真に写らず、発見することが難しいという問題がある。
【０００３】
そこで、Ｘ線造影糸の抜け落ちを防止すべく、特許文献１〜３に示すような対策が講じられているが、いずれも製造工程が煩雑となる問題があった。
【特許文献１】特開２００２―１４３２１２
【特許文献２】特開２００３―３２５５７３
【特許文献３】特開２００５―０５２４７１
【発明の開示】
【発明が解決しようとする課題】
【０００４】
かかる従来の実情に鑑みて、本発明は、簡素な工程でＸ線造影糸の抜けを防止することの可能なガーゼ及びその製造方法を提供することを目的とする。
【課題を解決するための手段】
【０００５】
上記目的を達成するため、本発明に係るガーゼの特徴は、互いに直交して織り上げられる経糸及び緯糸よりなり、経糸の一部がＸ線造影糸で構成され、経糸方向の経糸端部が緯糸より突出している構成であって、前記Ｘ線造影糸の端部を経糸方向端部の緯糸近傍に位置させたことにある。
【０００６】
望ましくは、前記経糸方向端部の緯糸が密に織り込まれて密織部を形成し、前記Ｘ線造影糸の端部を前記密織部に位置させるとよい。裁断した部分にＸ線造影糸がガーゼの密織りした端からはみ出ていないことから、鑷子等でガーゼをつまんでも、Ｘ線造影糸をつまむ恐れがほとんどなく、Ｘ線造影糸が抜け落ち難い。
【０００７】
一方、上記特徴に記載のガーゼの製造方法の特徴は、前記Ｘ線造影糸を切断することにより前記Ｘ線造影糸の端部を経糸方向端部の緯糸近傍に位置させたことにある。この場合、前記Ｘ線造影糸を引っ張って切断するとよい。また、ガーゼ本体と前記Ｘ線造影糸とをクランプして前記切断を行ってもよい。前記Ｘ線造影糸にテンションを付与して延伸させた状態でガーゼを織り、前記経糸を切断することにより前記Ｘ線造影糸が縮小して前記Ｘ線造影糸の端部を経糸方向端部の緯糸近傍に位置させてもよい。
【発明の効果】
【０００８】
上記本発明に係るガーゼ及びその製造方法の特徴によれば、簡素な工程でＸ線造影糸の抜け落ちを防止するに至った。
本発明の他の目的、構成及び効果については、以下の発明の実施の形態の項から明らかになるであろう。
【発明を実施するための最良の形態】
【０００９】
次に、適宜添付図面を参照しながら、本発明をさらに詳しく説明する。
本発明に係るガーゼ１は、図１（ｃ）、図２に示すように、経糸（縦糸）１１と緯糸（横糸）１２を交互に織り上げたガーゼ本体２と、経糸１１に張った１本のＸ線造影糸３とよりなる。一例としては、経糸１１と緯糸１２として４０番手の綿糸を用い、経糸１１と緯糸１２の密度を１２本／ｃｍ位として、図１（ａ）の如く約３０ｃｍ幅の帯状の平織りされた連続ガーゼ１００として織機を用いて製造する。
【００１０】
Ｘ線造影糸３はＸ線不透過成分、たとえば、硫酸バリウムなどを含んだポリ塩化ビニル、ポリプロピレンやポリエステルなどの合成樹脂糸である。直径は０，５〜０．９ｍｍであり、４０番手の綿糸より太い。Ｘ線不透過成分は硫酸バリウムに限定されるものではない。また、合成樹脂糸は可塑剤や着色剤を含む場合もあり、上記合成樹脂に限定されるものではない。
【００１１】
図１（ａ），図２（ａ）に示すように、経糸方向Ｌに直交する左右の両側の耳部を経糸密織部Ａ４とし、適宜長さ、一例を挙げると長さ約３０ｃｍ毎に、緯糸１２のない糸抜部Ａ１を形成し、糸抜部Ａ１の前後の両側を通常部Ａ３よりも緯糸１２が密に織られた緯糸密織部Ａ２とする。
【００１２】
次いで、各糸抜部Ａ１で連続ガーゼ１００をガーゼ単体１０１毎に分離されるように裁断し、Ｘ線造影糸３入りガーゼ１を作成する。この状態では、裁断した部分は経糸１１とＸ線造影糸３が数ｃｍ緯糸１２よりも突出した状態となっており、Ｘ線造影糸脱落の虞がある。
【００１３】
そこで、緯糸密織部Ａ２の端から出ているＸ線造影糸３のみを切断し、図１（ｃ）、図２（ｂ）（ｃ）、図３（ａ），（ｂ）の如く、Ｘ線造影糸端部３ａが経糸方向Ｌ端部の緯糸（すなわち緯糸密織部Ａ２）近傍に位置しているガーゼとする。換言すると、Ｘ線造影糸３は経糸１１よりも短く、糸抜部Ａ１近傍でのＸ線造影糸端部３ａが経糸端部１１ａよりも緯糸密織部Ａ２近傍に位置している。
【００１４】
Ｘ線造影糸３の切断は緯糸密織部Ａ２よりも突出した部分で行っても良い。この場合は図２（ｂ）、図３（ａ）の如き状態となる。
【００１５】
一方、図４に示すように、Ｘ線造影糸３の両端３ａを引っ張って切断すると、図２（ｃ）、図３（ｂ）の如く緯糸密織部Ａ２の中にＸ線造影糸３が数ｍｍから数十ｍｍ程度入り込む。この場合は、Ｘ線造影糸端部３ａが緯糸密織部Ａ２において緯糸１２により保護され、さらに脱落しにくいものとなる。引っ張りは、図４に示すように大クランプ１０５でガーゼ本体２をＸ線造影糸３とともにクランプしてＸ線造影糸３の偏りを防ぎ、小クランプ１０６で両方のＸ線造影糸端部３ａを摘んで切断するとよい。
【００１６】
さらに、図示省略するが、連続ガーゼ１００の製造時にＸ線造影糸３にあらかじめテンションを付与して延伸させた状態で平織りを行い、切断によりＸ線造影糸３が縮小して端部３ａが緯糸密織部Ａ２近傍又は内部に位置するようにしてもよい。
【００１７】
なお、本発明は上記実施形態の数値や部材に限定されるものではなく、本発明の趣旨を逸脱することなく適宜改変が可能である。また、緯糸密織部Ａ２は必ずしも必須ではなく、この場合、緯糸密織部Ａ２近傍とは、経糸方向Ｌ端部の緯糸１２近傍を意味する。
【産業上の利用可能性】
【００１８】
本発明は、Ｘ線造影糸入りのガーゼ及びその製造方法として利用することができる。
【図面の簡単な説明】
【００１９】
【図１】（ａ）は織り上がった連続ガーゼ、（ｂ）はＸ線造影糸切断前のガーゼ、（ｃ）はＸ線造影糸切断後のガーゼである。
【図２】ガーゼの経糸端部近傍の拡大図であり、（ａ）はＸ線造影糸切断前、（ｂ）（ｃ）はＸ線造影糸切断後を示す。
【図３】（ａ）は図２Ａ−Ａ断面、（ｂ）は図２Ｂ−Ｂ断面をそれぞれ示す図である。
【図４】Ｘ線造影糸切断工程を示し，（ａ）は大クランプでのクランプ状態、（ｂ）は小クランプでのＸ線造影糸引っ張り状態、（ｃ）はＸ線造影糸切断後の状態を示す模式図である。
【符号の説明】
【００２０】
１：ガーゼ、２：ガーゼ本体、３：Ｘ線造影糸、３ａ：Ｘ線造影糸端部、１１：経糸、１１ａ：経糸端部、１２：緯糸、１００：連続ガーゼ、１０１：ガーゼ単位、１０５：大クランプ、１０６：小クランプ、Ａ１：糸抜部、Ａ２：緯糸密織部、Ａ３：通常部、Ａ４：経糸密織部、Ｌ：経糸方向
【図１】
2007175236.tif 000003
【図２】
2007175236.tif 000004
【図３】
2007175236.tif 000005
【図４】
2007175236.tif 000006